(57)【特許請求の範囲】
【請求項１】
容器と容器口部に嵌着された中栓と、中栓に嵌挿される液導出筒を立設した支持台とを具えた液注出容器であって、
中栓は、外筒と内筒とを具え、
内筒は、容器口部の内周に嵌合される上筒部と、その下方の縮径されたシール筒とからなっており、
シール筒の下端には、薄肉部を設けた底壁を連接しており、
液導出筒は、筒外周には縦方向に延びる溝状の液流出路が刻設され、筒内周は空気流入路となっており、筒先端に等間隔に配設された複数の切断刃を具えていることを特徴とする液注出容器。
【請求項２】
切断刃が、両刃となっていることを特徴とする請求項１記載の液注出容器。
【発明の詳細な説明】
【０００１】
【発明の属する技術分野】
本発明は、内容液注出容器、とくに内容液注出容器の中栓底壁の栓部打ち抜き機構に関する。
【０００２】
【従来の技術】
容器口部に、有底の中栓を打栓により嵌着した容器に、中栓底壁の栓部を打ち抜き切断するとともに、液導出筒を中栓内筒内に嵌挿し、内容液を液導出筒に設けた液流出路を通じて注出させるようにした内容液注出容器は、従来より知られている。
【０００３】
【発明が解決しようとする課題】
上記従来の注出容器においては、中栓底壁の栓部の切断は、液導出筒の先端に設けた切断刃を栓部周辺に突き刺し、押し込むことによって行われる。
しかしながら、従来のものでは、切断刃は一個所だけであったため、切断刃の突き刺し時に液導出筒が傾き、打ち抜きが安定しなくなるという問題があった。
【０００４】
また、切断刃が一個所であると、切断の終わり近くで切断されないで残った部分が折れ曲がり、 栓部が中栓底壁と連結されたまま容器内に残ることがあった。そのため、栓部と底壁の連結部が内容液流出孔を塞ぎ、内容液の流量を減少さけるという問題が生じた。
【０００５】
本発明は、上記問題を解決することを課題として、切断刃が傾斜することなく、
中栓底壁に当接し、底壁の栓部周縁を確実に切断し、栓部を中栓から完全に切り離すようにした中栓の栓部打ち抜き機構を提供することを目的とする。
【０００６】
【課題を解決するための手段】
本発明は、上記の課題を解決するため、液注出容器として、容器と容器口部に嵌着された中栓と、中栓に嵌挿される液導出筒を立設した支持台とを具えた液注出容器であって、中栓は、外筒と内筒とを具え、内筒は、容器口部の内周に嵌合される上筒部と、その下方の縮径されたシール筒とからなっており、シール筒の下端には、薄肉部を設けた底壁を連接しており、液導出筒は、筒外周には縦方向に延びる溝状の液流出路が刻設され、筒内周は空気流入路となっており、筒先端に等間隔に配設された複数の切断刃を具えていることを特徴とする構成を採用する。
【０００７】
切断刃の実施例として、切断刃が、両刃となっていることを特徴とする構成とする。
【０００８】
【発明の実施の形態】
次に、本発明の実施形態について、図面を参照して説明する。
図１において、Ａは容器、Ｂは中栓、Ｃは液導出筒を具えた容器Ａの支持台である。
容器Ａには、消臭洗浄液、芳香洗浄液、或いは殺菌洗浄液、消臭液、芳香液等が入れられる。
図２に示すように、容器Ａは、口部１と肩部２、胴部３と底部４とからなり、口部１に膨出環５を設けた縮径部６と拡径部７とからなり、下方にはネックリング８が設けられている。
【０００９】
中栓Ｂは、外筒９と上壁１０、内筒１１とからなっており、外筒９には、口部１の膨出部５の下側に係合する膨出環１２が設けられている。
内筒１１は、上筒部１３と、その下方の縮径されたシール筒１４とからなっており、シール筒１４の下端には底壁１５が連設されている。
底壁１５は、シール筒１４に接続する薄肉部１６と、円錐台状の厚肉の栓部１７とからなり薄肉部１６には栓部１７との境界に沿って細い切断溝１８が刻設されている。
中栓Ｂは、容器口部１に打栓により嵌着されている。
【００１０】
図３に示すように、支持台Ｃは、支持板２０と支持板２０の中央に立設された液導出筒２１、および支持板２０の周辺部に立設された容器Ａの支持杆２２とを具えている。
支持板２０には、液導出筒２１と支持杆２２との間に開口２３が穿孔されており、支持杆２２に対応する支持板２０下面には支持片２４が垂設されている。
【００１１】
液導出筒２１の内側は、空気流入路２５となっており、上端近くには、空気流入孔２６を穿孔した隔壁２７が連設されている。
液導出筒２１の上端には、対称位置に配設された二つの切断刃２８、２９が突設されている。
液導出筒２１外周の下方部は拡径部３０となっており、その表面には液流出路３１を形成するために支持板２０まで延びる縦溝３２が等間隔をおいて複数個刻設されている。
【００１２】
本発明容器の使用態様と作用効果について説明する。
容器Ａに内容液を充填した後、中栓Ｂが打栓され、容器Ａと支持台Ｃは組として市販される。
【００１３】
使用時には、中栓Ｂ底壁１５の栓部１７を切断して支持台Ｃの液導出筒２１を中栓Ｂ内に嵌挿し、支持台Ｃを容器Ａに装着し、容器Ａと支持台Ｃを倒立させて所要の場所に載置し、液導出筒２１を外周に設けた液流出路３１を通じて内容液を微量づつ注出される。
【００１４】
中栓Ｂ底壁１５の切断にあたっては、図４に示すように、内筒１１内に支持台Ｃの液導出筒２１先端を嵌挿し、切断刃２８、２９を底壁１５の厚肉の栓部１７周辺に当て、切断溝１８に突き刺し、次いで、支持台Ｃを持って切断刃２８、２９を切断溝１８に沿って押し込んでいくと、底壁１５の厚肉の栓部１７が薄肉部１６より切り離される。
【００１５】
切断にあたっては、切断刃２８、２９は二枚で対称的に配置されているので、双方の刃によって液導出筒２１は安定して支持され、傾斜することなく、中栓Ｂの内筒１１に押し込まれていくことになる。
切断は、二ヶ所で行われ、残余がある場合には、二ヶ所に連結部として残ることになり、液導出筒２１を押し込んだときに、双方の連結部が同時に切断され、一方のみが中栓Ｂ上壁１０内周に連結したままになるということはない。
【００１６】
また、液導出筒の押し込みだけでなく、液導出筒をねじるようにすると、さらに切断を容易にすることができる。
【００１７】
内容液注出容器を倒立させたとき、内容液は液導出筒２１の拡径部３０とシール筒１４の間で液流出路３１を形成する縦溝３２を通って流出され、その際、底壁１５には薄肉部１６が全周にわたって残るだけであるから、各液流出路３１から均一に流出し、安定した流れを得ることができる。
【００１８】
内容液が全て注出されたときには、容器Ａを新しい容器と取替え、支持台Ｃの液導出筒２１を新しい容器の中栓Ｂ内筒１１に嵌挿し、支持台Ｃを容器Ａに装着することによって再び使用することができる。
【００１９】
【実施例】
次に、液導出筒の切断刃の変形実施例について説明する。
（第１実施例）  第１実施例は、図５（ａ）に示すように、切断刃を３枚としたものである。
図において、４０は液導出筒、４１ａ，ｂ，ｃは液導出筒４０の先端に立設された切断刃である。
各切断刃４１は、等間隔をおいて配置されており、それぞれの切断刃４１は、前後に同じ傾斜を持つ二つの刃体４２ａ，ｂを具え、両刃となっている。
【００２０】
切断にあたっては、切断刃４１は三点で底壁１５に接合するので、液導出筒４０は、いずれの方向にも傾斜することなく安定して押込むことができる。
また、両刃となっているので、押込は容易であり、液導出筒４０をねじるときには、いずれの方向に廻動しても容易に切断することができる。
【００２１】
（第２実施例）  第２実施例は、図５（ｂ）に示すように、切断刃を４枚としたものである。
図において、４５は液導出筒、４６ａ，ｂ，ｃ，ｄは切断刃である。
切断刃４６は、前後に同じ傾斜を持つ二つの刃体４７ａ，ｂを具え、両刃となっている。
切断にあたっては、第１実施例と同等の作用効果を有する。
【００２２】
切断刃の数については、２〜４枚が良好であるが、それ以上となると、切断圧が高くなり、打ち抜き力を大きくしなければならないので効率は悪くなる。
【００２３】
前記実施形態では、中栓の底壁に切断溝を設けたが、切断刃の形状、本数によっては切断溝はなくてもよく、また、底壁全体をほぼ均等な薄肉に形成してもよい。
【００２４】
【発明の効果】
本発明は、上記のように構成されているから、次の効果を奏する。
液導出筒の先端に等間隔に配設された複数の切断刃を配設したので、切断刃の先端が中栓の底壁に均等に当接され、中栓底壁の栓部を容易にかつ確実に切断できるようになった。
【図面の簡単な説明】
【図１】本発明の内容液注出容器の説明図である。
【図２】容器の説明図で、（ａ）は一部断面立面図、（ｂ）は中栓の拡大断面図である。
【図３】支持台の説明図で、（ａ）は断面立面図、（ｂ）は斜視図である。
【図４】中栓栓部の切断時の説明図である。
【図５】  液導出筒の実施例の説明図で、（ａ）は第１実施例、（ｂ）は第２実施例の斜視図である。
【符号の説明】
Ａ            容器
Ｂ            中栓
Ｃ            支持台
１            口部
９            外筒
１０          上壁
１１          内筒
１３          上筒部
１４          シール筒
１５          底壁
１６          薄肉部
１７          栓部
１８          切断溝
２０          支持板
２１、４０、４５    液導出筒
２２          支持杆
２３          開口
２４          支持片
２５          空気流入路
２６          空気流入孔
２７          隔壁
２８、２９、４１ａ，ｂ，ｃ、４６ａ，ｂ，ｃ，ｄ、    切断刃
３０          拡径部
３１          液流出路
３２、        縦溝
４２ａ，ｂ、４７ａ，ｂ  刃体
【図１】
0004021219.tif 000002
【図２】
0004021219.tif 000003
【図３】
0004021219.tif 000004
【図４】
0004021219.tif 000005
【図５】
0004021219.tif 000006